(57)【要約】【課題】  ユーザのモニタ再現色と、プリンタ出力色とのカラーマッチングを、簡単で直接的な方法で実現する。【解決手段】  カラー評価画像を、以下のモニタマッチングＬＵＴを変化させ、所望のメディアに印字する。その印字画像の中から、ユーザが目視により、モニタ再現色に最も近いものを選択する。その選択結果をそのモニタにおけるマッチングＬＵＴとして利用する。【選択図】  図１
2009027351.tif 000002
【特許請求の範囲】
【請求項１】
画像を入力する画像入力手段を有し、入力画像の色を調整する色調整手段を有し、色調整後の色データをインク色に変換するインク色変換手段を有し、そのインク色を出力する画像出力手段を有するプリンタにおいて、前記色調整手段に用いる色調整パラメータを以下のステップにて決定することを特徴とする画像処理装置。
（１）色調整のための評価画像を予め用意しておく
（２）前記評価画像に対して、予め用意した複数の色調整パラメータを適用させる
（３）色調整後の複数の画像を合成する
（４）合成後の画像に対して、前記インク色変換手段にてインク色に変換する
（５）前記画像出力手段によって、（４）の画像を１枚のプリントメディア上に出力する
（６）目視評価により、（５）の印字色の中からモニタ上の再現色と最も近いものを選択する
（７）選択された画像に対応する色調整パラメータを、前記色調整手段に登録する
【発明の詳細な説明】
【技術分野】
【０００１】
本発明は、簡易的な方法にて、モニタ上での表示色と、プリンタでの再現色とのカラーマッチングを実現させるための画像処理装置およびその方法に関する。
【背景技術】
【０００２】
従来の画像処理装置においては、例えば図２に示すように、画像入力手段２０１により入力されたＲＧＢ各８ｂｉｔ画像に対して、インク色変換手段２０２によりＣＭＹＫ各８ｂｉｔに色変換する。そして、画像出力手段２０３により、紙などの媒体上に画像を出力する。
【０００３】
この時、インク色変換手段２０２では、あらかじめ三次元格子状に配置したＲＧＢ−ＣＭＹＫの関係を色変換パラメータである３Ｄ−ＬＵＴ（２０４）として用意しておき、空間的な補間演算によって任意のＲＧＢ入力に対するＣＭＹＫ出力値が算出される。この場合の補間法としては、いくつかの手法が提案されており、特公昭５８−１６１８０にて明らかにされている四面体補間はその一つである。
【０００４】
通常、このインク色変換テーブルは、プリンタメーカがあらかじめ用意しておき、各メディアに対して最適な印字になるように調整してある。
【特許文献１】特公昭５８−１６１８０号公報
【発明の開示】
【発明が解決しようとする課題】
【０００５】
例えば、ユーザがモニタ上の画像をプリンタにて再現させたい場合、モニタ上の色と、プリンタからの出力との色の不一致が発生する場合がある。これは、モニタとプリンタとの色再現範囲の違いや、ユーザの使用するモニタの特性など、複数の要因が存在する。よって、ユーザが手持ちのモニタとプリンタとのカラーマッチングを図ろうとすると、試行錯誤的に印字・確認・画像の調整を繰り返すことになり、その調整に伴うプリントメディアやインクの消費が無視できない。また、通常、プリンタメーカは、業界標準のＲＧＢであるｓＲＧＢデータが、プリンタに入力されることを想定して色変換パラメータを設計する傾向にあるが、実際、ユーザが利用するモニタを、このｓＲＧＢに調整するには、高価なキャリブレーション装置や環境整備が必要になる。
【０００６】
本発明の目的は、以上の問題に鑑み、ユーザのモニタ表示色と、プリンタ再現色とのカラーマッチングを行う簡易的な画像処理装置を提供することである。
【課題を解決するための手段】
【０００７】
上記目的は、画像を入力する画像入力手段を有し、入力画像の色を調整する色調整手段を有し、色調整後の色データをインク色に変換するインク色変換手段を有し、そのインク色を出力する画像出力手段を有するプリンタにおいて、前記色調整手段に用いる色調整パラメータを以下のステップにて決定することにより達成される。
【０００８】
（１）色調整のための評価画像を予め用意しておく
（２）前記評価画像に対して、予め用意した複数の色調整パラメータを適用させる
（３）色調整後の複数の画像を合成する
（４）合成後の画像に対して、前記インク色変換手段にてインク色に変換する
（５）前記画像出力手段によって、（４）の画像を１枚のプリントメディア上に出力する
（６）目視評価により、（５）の印字色からモニタ上の再現色と近いものを選択する
（７）選択された画像に対応する色調整パラメータを、前記色調整手段に登録する
【発明の効果】
【０００９】
以上説明したように、本発明によれば、非常に簡易的な方法で、ユーザ所有のモニタ表示色と、プリンタ再現色とのカラーマッチングを達成することが可能である。
【発明を実施するための最良の形態】
【００１０】
以下、本発明に関わる実施形態について、図面を参照して詳細に説明する。
【００１１】
図１は、本発明に関わる一実施例のブロック図を示したものである。画像入力手段１０１により入力されたＲＧＢデータが、色調整手段１０２により、Ｒ’Ｇ’Ｂ’に変換される。この色変換の様子を図３を用いて説明する。
【００１２】
まず、入力ＲＧＢ値（３０１）を取り囲む８点の格子点（３０２）を求め、それぞれの格子点位置をＲ０Ｇ０Ｂ０〜Ｒ１Ｇ１Ｂ１とする。それらの格子点における色調整値をｒｇｂ０００〜ｒｇｂ１１１とすると、任意の入力ＲＧＢ値に対する色調整値ｒｇｂは、四面体補間により、以下のように求まる。
ｒｇｂ＝ｒｇｂ０００＋ｃ１＊ΔＲ／（Ｒ１−Ｒ０）＋ｃ２＊ΔＧ／（Ｇ１−Ｇ０）＋ｃ３＊ΔＢ／（Ｂ１−Ｂ０）
ただし、ΔＲ＝Ｒ−Ｒ０，ΔＧ＝Ｇ−Ｇ０，ΔＢ＝Ｂ−Ｂ０とする。
【００１３】
ここで、ｃ１，ｃ２，ｃ３は、以下の６つで場合分けされる。
（１）  ΔＲ  ＞  ΔＧ  ＞  ΔＢの時
ｃ１  ＝  ｒｇｂ１００−ｒｇｂ０００，  ｃ２  ＝  ｒｇｂ１１０−ｒｇｂ１００，  ｃ３  ＝  ｒｇｂ１１１−ｒｇｂ１１０
（２）  ΔＲ  ＞  ΔＢ  ＞  ΔＧの時
ｃ１  ＝  ｒｇｂ１００−ｒｇｂ０００，  ｃ２  ＝  ｒｇｂ１１１−ｒｇｂ１０１，  ｃ３  ＝  ｒｇｂ１０１−ｒｇｂ１００
（３）  ΔＢ  ＞  ΔＲ  ＞  ΔＧの時
ｃ１  ＝  ｒｇｂ１０１−ｒｇｂ００１，  ｃ２  ＝  ｒｇｂ１１１−ｒｇｂ１０１，  ｃ３  ＝  ｒｇｂ００１−ｒｇｂ０００
（４）  ΔＧ  ＞  ΔＲ  ＞  ΔＢの時
ｃ１  ＝  ｒｇｂ１１０−ｒｇｂ０１０，  ｃ２  ＝  ｒｇｂ０１０−ｒｇｂ０００，  ｃ３  ＝  ｒｇｂ１１１−ｒｇｂ１１０
（５）  ΔＧ  ＞  ΔＢ  ＞  ΔＲの時
ｃ１  ＝  ｒｇｂ１１１−ｒｇｂ０１１，  ｃ２  ＝  ｒｇｂ０１０−ｒｇｂ０００，  ｃ３  ＝  ｒｇｂ０１１−ｒｇｂ０１０
（６）  ΔＢ  ＞  ΔＧ  ＞  ΔＲの時
ｃ１  ＝  ｒｇｂ１１１−ｒｇｂ０１１，  ｃ２  ＝  ｒｇｂ０１１−ｒｇｂ００１，  ｃ３  ＝  ｒｇｂ００１−ｒｇｂ０００
次に、色調整後のＲ’Ｇ’Ｂ’が、インク色変換手段１０３にてインク色ＣＭＹＫに変換される。この変換についても、上記の数式において、ｒｇｂをｃｍｙｋに置き換えて同様の説明がつく。そして画像出力手段１０４により、紙などの媒体上に画像が形成される。
【００１４】
本特許の特徴は、ユーザ所有のモニタ再現色に合うように、色調整手段１０２で用いる色調整パラメータ（１１０）をユーザ自身が選択・設定する点である。次にこの色調整パラメータの設定方法について説明する。
【００１５】
まず、予め用意した色評価画像を評価画像入力手段１０５で入力する。この色評価画像は、なるべく広い色空間にデータが分布していることが望ましい。次に、１−１６の色調整手段１０６により、先の評価画像に対してそれぞれの色調整パラメータで色調整を行う。本例では、先ほど説明した３次元格子パラメータを予め１６種類用意しておき、それぞれ色調整手段１−１６としてある。そして、生成された１６種類の色調整後の画像を、画像合成手段１０７により、ひとつの画像データとして合成する。この合成処理では、画像出力手段１０４において、プリントメディア１枚に収まるように各画像のサイズを調整する。図４に合成画像の１例を示した。次に、この合成結果に対して、インク色変換手段１０３にてインク色に変換し、ついで画像出力手段１０４によりプリントメディア１枚に合成画像が出力される。ユーザは、この出力結果と、自身のモニタ上に表示した評価画像の色味を比較し、最も印象が近いものを選択する。本例では、１−１６のいずれかの番号を選択することになる。そして最後に、ユーザが選択した番号に対応する色調整パラメータ１１０を色調整手段１０２のパラメータとして、正式に登録する。これ以降の画像印字においては、ユーザ自身が選択した色調整手段により画像が印字されることになる。
【００１６】
以上のように、ユーザ自身がプリンタからの出力結果とモニタ上の色とのマッチング結果を選択するため、ユーザの嗜好にあわせた色調整が可能となる。また、調整に必要となるプリント枚数が一枚ですむため、印字メディアやインクの無駄な消費を防止することが可能である。
【００１７】
また、本発明の目的は、以上の実施形態を実現するソフトウェアのプログラムコードを記録した記憶媒体を装置に供給し、装置のＣＰＵによって記憶媒体中のプログラムコードを読み出し実現することによっても、達成されることは言うまでもない。
【図面の簡単な説明】
【００１８】
【図１】本発明に一実施形態のブロック図である。
【図２】従来の色変換手段を含むブロック図である。
【図３】色変換手段の詳細を示す図である。
【図４】本実施形態における評価画像の合成結果を説明する図である。
【符号の説明】
【００１９】
１０１  画像入力手段
１０２  色調整手段
１０３  インク色変換手段
１０４  画像出力手段
１０５  評価画像入力手段
１０６  複数の色調整手段
１０７  画像合成手段
１０８  目視評価・選択手段
１０９  色調整パラメータ登録手段
１１０  登録された色調整パラメータ
１１１  インク色変換パラメータ
【図１】
2009027351.tif 000003
【図２】
2009027351.tif 000004
【図３】
2009027351.tif 000005
【図４】
2009027351.tif 000006